(57)【要約】【課題】被調理物が調理されている過程において初めて判断可能となる条件を考慮することによって、被調理物に対する最適な調理工程を選択する。【解決手段】昇温工程は、被調理物の合数を判定する合数判定工程を含み、合数判定工程において判定された合数を、炊き上げ工程におけるワークコイル６４の加熱量を設定するための複数のランクに区分して、合数判定工程において判定された合数が、Ｃランクに区分されると、炊き上げ工程において長粒米が沸騰するまでのワークコイル６４の加熱量を、通常の加熱量よりも増加させる。【選択図】図６
2012231915.tif 000002
【特許請求の範囲】
【請求項１】
被調理物を内部に収容する内鍋と、
前記内鍋を加熱する内鍋加熱手段と、
前記内鍋加熱手段の加熱量を制御する制御手段と、
前記内鍋や被調理物の温度を検出する内鍋温度検出手段と、
を具備して、
少なくとも昇温工程と炊き上げ工程とを有する炊飯工程を前記制御手段により実行可能な電気炊飯器であって、
前記昇温工程は、被調理物の合数を判定する合数判定工程を含み、
前記合数判定工程において判定された合数を、前記炊き上げ工程における前記内鍋加熱手段の加熱量を設定するための複数のランクに区分して、
前記合数判定工程において判定された合数が、前記複数のランクのうち最大のランクに区分されると、前記炊き上げ工程において被調理物が沸騰するまでの前記内鍋加熱手段の加熱量を、通常の加熱量よりも増加させる、
ことを特徴とする電気炊飯器。
【請求項２】
前記電気炊飯器は、
被調理物として液体の調理が可能であって、
前記制御手段は、前記合数判定工程において判定された合数が、前記最大のランクに区分されると、被調理物が液体であると判定し、前記炊き上げ工程において液体が沸騰するまでの前記内鍋加熱手段の加熱量を最大とする、
ことを特徴とする請求項１に記載の電気炊飯器。
【発明の詳細な説明】
【技術分野】
【０００１】
本発明は、電気炊飯器の技術に関し、より詳細には被調理物を最適な調理工程で調理する電気炊飯器の技術に関する。
【背景技術】
【０００２】
近年、電気炊飯器においては、日本国産米に代表される短粒米のみならず、外国産米に代表される長粒米や液体（スープ）等の種々の被調理物が調理される。そして、種々の被調理物を美味しく調理するためには、その被調理物に対する最適な調理工程を選択する必要がある。
【０００３】
例えば、被調理物として長粒米を考えてみると、長粒米は、一般的に含有する水分量や粒の大きさ等の特性が短粒米と異なっている。そして、特に、短粒米と比較して吸水性が小さいという特性のため、長粒米に対して短粒米と同様の調理工程（より詳細には、吸水工程）を実行した場合、長粒米は十分に吸水せず、美味しく炊き上げることができないという問題点がある。
【０００４】
これに対して、長粒米の調理においては炊飯水の水量を多く設定するとともに、電気炊飯器に、短粒米とは異なる長粒米の特性に応じた長粒米専用の調理工程を設けて、かかる調理工程を実行することによって、長粒米を美味しく炊き上げる技術が公知となっている。例えば、特許文献１及び２に記載の如くである。
【０００５】
特許文献１及び２に記載の技術では、電気炊飯器に、長粒米と短粒米とを選択する選択手段を設けて、ユーザーによって長粒米が選択された場合には、短粒米を選択した場合と比較して吸水工程の時間が長く設定される等の、長粒米の特性に対応した調理工程が選択される。つまり、特許文献１及び２に記載の技術では、前記選択手段を用いたユーザーの選択によって被調理物（長粒米）に対する最適な調理工程を選択することができる。
【先行技術文献】
【特許文献】
【０００６】
【特許文献１】特開平７−２５５５９１号公報
【特許文献２】特許第２６４３８２７号公報
【発明の概要】
【発明が解決しようとする課題】
【０００７】
しかしながら、特許文献１及び２に記載の技術では、被調理物に対する調理工程の選択は、被調理物が調理される前の段階において、前記選択手段を用いたユーザーの選択に応じて設定されるものである。したがって、この調理工程の選択では、被調理物が現実に調理されている過程（調理工程）において初めて判断可能となる条件は、考慮されていない。つまり、特許文献１及び２に記載の技術では、被調理物に対する最適な調理工程の選択は、未だ十分ではないという問題点があった。
【０００８】
本発明は、上記のような問題点に鑑みてなされたものであり、その解決しようとする課題は、被調理物が調理されている過程において初めて判断可能となる条件を考慮することによって、被調理物に対する最適な調理工程を選択することができる電気炊飯器を提供することである。
【課題を解決するための手段】
【０００９】
本発明の解決しようとする課題は以上の如くであり、次にこの課題を解決するための手段を説明する。
【００１０】
即ち、請求項１においては、被調理物を内部に収容する内鍋と、前記内鍋を加熱する内鍋加熱手段と、前記内鍋加熱手段の加熱量を制御する制御手段と、前記内鍋や被調理物の温度を検出する内鍋温度検出手段と、を具備して、少なくとも昇温工程と炊き上げ工程とを有する炊飯工程を前記制御手段により実行可能な電気炊飯器であって、前記昇温工程は、被調理物の合数を判定する合数判定工程を含み、前記合数判定工程において判定された合数を、前記炊き上げ工程における前記内鍋加熱手段の加熱量を設定するための複数のランクに区分して、前記合数判定工程において判定された合数が、前記複数のランクのうち最大のランクに区分されると、前記炊き上げ工程において被調理物が沸騰するまでの前記内鍋加熱手段の加熱量を、通常の加熱量よりも増加させるものである。
【００１１】
また、請求項２においては、前記電気炊飯器は、被調理物として液体の調理が可能であって、前記制御手段は、前記合数判定工程において判定された合数が、前記最大のランクに区分されると、被調理物が液体であると判定し、前記炊き上げ工程において液体が沸騰するまでの前記内鍋加熱手段の加熱量を最大とするものである。
【発明の効果】
【００１２】
本発明の効果として、以下に示すような効果を奏する。
【００１３】
本発明に係る電気炊飯器おいては、被調理物が現実に調理されている過程において初めて判断可能となる条件を考慮することによって、被調理物に対する最適な調理工程を選択することができる。
【図面の簡単な説明】
【００１４】
【図１】本発明の一実施形態に係る炊飯器の全体的な構成を示した側面断面図。
【図２】同じく、制御構成を示したブロック図。
【図３】同じく、長粒米の調理（炊飯）工程を示したフローチャート。
【図４】同じく、長粒米の調理（炊飯）工程におけるワークコイル、保温ヒータ、蓋ヒータの加熱量、及び調理（炊飯）工程を構成する各工程における温度の上がり方を示した表。
【図５】同じく、合数判定工程で判定された合数に応じた、炊き上げ工程でのワークコイルの加熱量のランク分けを示した表。
【図６】同じく、長粒米の合数判定工程を示したフローチャート。
【図７】（ａ）長粒米と短粒米との吸水性の違いを示した表。（ｂ）炊飯水に浸漬された状態の長粒米と短粒米との違いを示した模式図。（ｃ）本発明に係る炊飯工程における長粒米と、一般的な炊飯工程における短粒米との温度の上がり方を比較した表。
【図８】長粒米と短粒米との１合質量及び１合あたりの計量差を示した表。
【発明を実施するための形態】
【００１５】
まず、本発明に係る電気炊飯器の一実施形態である炊飯器１の全体的な構成について説明する。
なお、以下の説明では、図１における左側を炊飯器１の前側とし、図１における右側を炊飯器１の後側として前後方向を規定する。また、図１における手前側を炊飯器１の左側とし、図１における奥側を炊飯器１の右側として左右方向を規定する。
【００１６】
炊飯器１は、被調理物として日本国産米に代表される短粒米や、外国産米に代表される長粒米等を、電気を用いて調理する調理器具である。図１及び図２に示すように、炊飯器１は、主として、内鍋１０と、炊飯器本体２０と、蓋体３０と、マイコン制御装置４０と、により構成される。
【００１７】
内鍋１０は、その内部に炊飯器１の被調理物を収容する部材である。内鍋１０は、磁性体金属又は磁性体金属を含有する金属製で、上側面が開口された有底筒状に形成される。なお、内鍋１０は、土鍋等セラミック製であってもよい。
【００１８】
炊飯器本体２０は、炊飯器１の主たる構造体を成す部材である。炊飯器本体２０は、主として、外ケース２１と、肩部材２２と、底部材２３と、内ケース２４と、により構成される。
【００１９】
炊飯器本体２０の外ケース２１は、炊飯器本体２０の外周面の外装（外壁）を成す部材である。外ケース２１は、ステンレス等の金属製で、上下側面が開口された筒状に形成される。
【００２０】
炊飯器本体２０の肩部材２２は、炊飯器本体２０の上端部（肩部）を成す部材である。肩部材２２は、ポリプロピレン（ＰＰ）等の合成樹脂製で、上下側面が開口された概ね筒状に形成される。肩部材２２は、外ケース２１の上方に配置されて、下端部が外ケース２１の上端部に固定される。肩部材２２の後端部には、把持部５１やヒンジ部５２等が配設される。また、肩部材２２の前端部には、操作パネル部５３等が配設される。
【００２１】
操作パネル部５３は、炊飯や、保温や、メニュー選択等の炊飯器１の機能に関する各種のスイッチ５５が配設される。ユーザーは、各種のスイッチ５５の操作によって、炊飯器１の機能を適宜に実行させることができる。なお、各種のスイッチ５５には、被調理物として短粒米と長粒米とを選択する米種別選択スイッチ５６が含まれる（図２参照）。
また、操作パネル部５３には、液晶表示部６１が配設される。液晶表示部６１には、ユーザーによって選択された炊飯器１の機能等が表示される。操作パネル部５３の下方（外ケース２１の内側）には、操作基板６２が配設される。
【００２２】
炊飯器本体２０の底部材２３は、炊飯器本体２０の底部（下側面）を成す部材である。底部材２３は、ポリプロピレン（ＰＰ）等の合成樹脂製で、板面を上下方向へ向けた概ね平板状に形成される。底部材２３は、外ケース２１の下端部に固定され、外ケース２１の下側の開口部を被覆している。
【００２３】
炊飯器本体２０の内ケース２４は、炊飯器本体２０の内周面（内壁）を成し、その内部に内鍋１０を収容する部材である。内ケース２４は、ポリエチレンテレフタレート（ＰＥＴ）等の合成樹脂製で、上側面が開口された有底筒状に形成される。
なお、内ケース２４と外ケース２１及び底部材２３との間、即ち炊飯器本体２０の内部には、炊飯器１を構成する各部材が配設される。例えば、炊飯器本体２０の内部には、内ケース２４の前方に後述する制御基板６３が配設される。さらに、炊飯器本体２０の内部には、ワークコイル６４や、保温ヒータ６５や、センタセンサ６６等が配設される。
【００２４】
ワークコイル６４は、内ケース２４の内部に収容された内鍋１０を加熱する部材である。ワークコイル６４は、それぞれ環状に形成された底部コイル６７と、コーナーコイル６８と、より構成される。底部コイル６７は、側面視で内ケース２４の略中央の下方に配置される。コーナーコイル６８は、側面視で内ケース２４の外側端部の下方に配置される。底部コイル６７及びコーナーコイル６８は、渦電流を発生可能に構成され、内ケース２４の内部に収容された内鍋１０が、底部コイル６７及びコーナーコイル６８の渦電流と内鍋１０の電気抵抗とによって発熱（加熱）するように構成される。
【００２５】
保温ヒータ６５は、内鍋１０の内部で調理された被調理物を保温（加熱）する部材である。保温ヒータ６５は、リング状に形成され、内ケース２４の上下中途部の外方に巻装される。
【００２６】
センタセンサ６６は、内鍋１０や当該内鍋１０の内部に収容された被調理物の温度を検出する部材である。センタセンサ６６は、内ケース２４の下側面の略中央に開口された開口部５４から、上方へ向けて突出される。センタセンサ６６の上端部は、内ケース２４の内部に収容された内鍋１０の下側面に当接される。
【００２７】
蓋体３０は、炊飯器１の天部（上側面）を成す部材である。蓋体３０は、肩部材２２の上側の開口部を被覆するとともに、前記ヒンジ部５２を介して当該肩部材２２（ひいては炊飯器本体２０）に対して開閉可能に支持される。蓋体３０は、ポリプロピレン（ＰＰ）等の合成樹脂製であり、主として、円盤状に形成されて蓋体３０の上面を成す上板３１と、環状に形成されて蓋体３０の下面を成す下板３２と、により構成される。環状に形成された下板３２の側面視で中央には、金属製の放熱板３４が配設される。放熱板３４には、蓋ヒータ３５が配設される。また、下板３２の下方には、内カバー３３が配設される。
【００２８】
蓋体３０の内カバー３３は、内鍋１０からのふきこぼれや結露等を防止する部材である。内カバー３３は、金属製で、円盤状に形成される。内カバー３３は、下板３２に着脱可能に取り付けられる。内カバー３３は、蓋体３０が炊飯器本体２０に対して閉塞した状態で、内鍋１０の上側縁部を略密閉するように構成される。
【００２９】
蓋体３０の蓋ヒータ３５は、放熱板３４を加熱して、その熱伝導によって内カバー３３を加熱する部材である。蓋ヒータ３５は、リング状に形成され、放熱板３４の上面側に載置される。
【００３０】
次に、マイコン制御装置４０の構成について、図２を用いて説明する。
【００３１】
マイコン制御装置４０は、炊飯、保温、メニュー選択、被調理物としての短粒米と長粒米との選択等の炊飯器１の機能や、液晶表示部６１の表示等を制御するものである。マイコン制御装置４０には、炊飯器１の機能を実行するための炊飯制御プログラムや時間と温度との関係マップ等が予め記憶されている。マイコン制御装置４０は、主として、前記操作基板６２及び前記制御基板６３に搭載されたマイクロプロセッサ（以下では、「ＭＰＵ４１」と称する。）等により構成される。
【００３２】
ＭＰＵ４１には、マイコン制御装置４０の外部にて出力された各種の信号が入力される。より詳細には、センタセンサ６６によって検出された検出結果、即ち内鍋１０の温度が温度検出回路７３を介してＭＰＵ４１に入力される。また、操作パネル部５３の各種のスイッチ５５の操作による操作信号が、ＭＰＵ４１に入力される。
【００３３】
また、ＭＰＵ４１からは、炊飯器１の機能や液晶表示部６１の表示等を制御するための各種の信号（コマンド）が、マイコン制御装置４０の外部へ出力される。より詳細には、ＭＰＵ４１から出力された信号によって、ワークコイル６４が、ワークコイル駆動回路７１を介して駆動される。ワークコイル駆動回路７１は、ＩＧＢＴのようなスイッチング素子や、ダイオードや、共振用コンデンサ等を用いて構成され、ワークコイル６４に所定の高周波電流を供給するように構成される。また、ＭＰＵ４１から出力された信号によって、保温ヒータ６５及び蓋ヒータ３５が、ヒータ駆動回路７２を介して駆動される。また、ＭＰＵ４１から出力された信号によって、操作パネル部５３の液晶表示部６１の表示内容が設定される。
【００３４】
以上のように構成された炊飯器１において、例えば被調理物として長粒米を調理（炊飯）する場合には、操作パネル部５３の各種のスイッチ５５のうち、短粒米と長粒米との選択を行う米種別選択スイッチ５６にて長粒米を選択すると、マイコン制御装置４０によって（短粒米の炊飯に適した調理工程とは異なる）長粒米の炊飯に適した調理（炊飯）工程が実行される。即ち、かかる場合には、ワークコイル６４、保温ヒータ６５、蓋ヒータ３５等が、長粒米の特性に応じて駆動され、適宜な加熱量や加熱時間等によって、長粒米を美味しく炊き上げることができるのである。
【００３５】
次に、長粒米の炊飯工程の構成について、図３及び図４を用いて説明する。
【００３６】
長粒米の炊飯工程は、図３及び図４に示すように、マイコン制御装置４０によって順次に実行される昇温工程（ステップＳ１）と、炊き上げ工程（ステップＳ２）と、蒸らし工程（ステップＳ３）と、により構成される。
【００３７】
まず、長粒米の炊飯工程は、図３及び図４に示すように、昇温工程（ステップＳ１）へ移行される。昇温工程において、長粒米の炊飯が開始されると、マイコン制御装置４０によってワークコイル６４が駆動され、内鍋１０が加熱される（加熱が開始される）。
なお、センタセンサ６６によって検出された内鍋１０の温度が所定温度に到達すると、炊飯工程は炊き上げ工程（ステップＳ２）へ移行する。
また、図４に示すように、昇温工程において、ワークコイル６４は、マイコン制御装置４０によって１００％の出力で駆動され、内鍋１０を加熱するワークコイル６４の加熱量が最大となるように設定される。一方、保温ヒータ６５及び蓋ヒータ３５は、駆動されない（加熱しない）。
なお、前記「１００％の出力」とは、ワークコイル６４の出力の一実施形態であり、これに限定するものではない。即ち、ワークコイル６４は、その加熱量が通常の加熱量よりも大きくなるような出力で駆動されればよい。
【００３８】
なお、この昇温工程には、長粒米の合数（炊飯量）を判定する合数判定工程（ステップＳ１ａ）が含まれている。そして、合数判定工程においては、判定された合数を複数のランクに区分することによって、炊き上げ工程（ステップＳ２）におけるワークコイル６４の加熱量が設定される。
【００３９】
以下では、昇温工程（ステップＳ１）に含まれている合数判定工程（ステップＳ１ａ）、及び炊き上げ工程（ステップＳ２）におけるワークコイル６４の加熱量の設定について、図４から図６を用いて説明する。
【００４０】
ステップＳ１０において、マイコン制御装置４０は、センタセンサ６６によって、加熱される前の内鍋１０の温度（内鍋１０の内部に収容された長粒米及び炊飯水の初期温度）を検出する。
マイコン制御装置４０は、ステップＳ１０の処理を行った後、ステップＳ１１へ移行する。
【００４１】
ステップＳ１１において、マイコン制御装置４０は、ワークコイル６４を駆動して、内鍋１０の加熱を開始する。なお、上述の如くこの合数判定工程において、ワークコイル６４は、マイコン制御装置４０によって１００％の出力で駆動され、内鍋１０を加熱するワークコイル６４の加熱量が最大となるように設定される（図４参照）。
なお、前記「１００％の出力」とは、ワークコイル６４の出力の一実施形態であり、これに限定するものではない。即ち、ワークコイル６４は、その加熱量が通常の加熱量よりも大きくなるような出力で駆動されればよい。
マイコン制御装置４０は、ステップＳ１１の処理を行った後、ステップＳ１２へ移行する。
【００４２】
ステップＳ１２において、マイコン制御装置４０は、内鍋１０の温度が所定温度Ｔに到達したか否かを判定する。
マイコン制御装置４０は、内鍋１０の温度が所定温度Ｔに到達したと判定した場合、つまりセンタセンサ６６によって検出された内鍋１０の温度（内鍋１０の内部に収容された長粒米及び炊飯水の上昇温度）が所定温度Ｔに到達した場合には、ステップＳ１３へ移行する。
一方、マイコン制御装置４０は、内鍋１０の温度が所定温度Ｔに到達していないと判定した場合、つまりセンタセンサ６６によって検出された内鍋１０の温度（内鍋１０の内部に収容された長粒米及び炊飯水の上昇温度）が所定温度Ｔに到達していない場合には、再びステップＳ１２へ移行する。
【００４３】
ステップＳ１３において、マイコン制御装置４０は、内鍋１０の内部に収容された長粒米及び炊飯水が、初期温度から所定温度Ｔに到達するまでの経過とその時間（以下では、「経過時間Ｓ」と称する。）を演算する。
マイコン制御装置４０は、ステップＳ１３の処理を行った後、ステップＳ１４へ移行する。
【００４４】
そして、ステップＳ１４以降のステップにおいて、マイコン制御装置４０は、ステップＳ１３において演算した経過時間Ｓの変化により合数を判定し、経過時間Ｓと所定時間Ｓａ・Ｓｂと比較することによりランクを判定する。
【００４５】
ここで、所定時間Ｓａ及び所定時間Ｓｂとは、図５に示す表から求められる閾値である。なお、図５は、合数判定工程で判定された合数に応じて、炊き上げ工程での加熱量のランク分けを示した表（マップ）であり、マイコン制御装置４０に予め記憶されている。つまり、マイコン制御装置４０は、経過時間Ｓによって合数を判定するとともに、その経過時間Ｓを、閾値である所定時間Ｓａ及び所定時間Ｓｂと比較することによって、複数に区分されたランクのどのランクに属するか判定する。その結果、その区分されたランクに応じて、炊き上げ工程（ステップＳ２）におけるワークコイル６４の加熱量が設定される。
【００４６】
ステップＳ１４において、マイコン制御装置４０は、ステップＳ１３において演算した経過時間Ｓが、所定時間Ｓａよりも大きいと判定した場合、つまりステップＳ１３において演算した経過時間Ｓが、所定時間Ｓａよりも大きい場合には、ステップＳ１７へ移行する。
一方、マイコン制御装置４０は、ステップＳ１３において演算した経過時間Ｓが、所定時間Ｓａよりも大きくないと判定した場合、つまりステップＳ１３において演算した経過時間Ｓが、所定時間Ｓａ以下である場合には、ステップＳ１５へ移行する。
【００４７】
ステップＳ１５において、マイコン制御装置４０は、ステップＳ１３において演算した経過時間Ｓが、所定時間Ｓｂよりも大きいか否かを判定する。
マイコン制御装置４０は、ステップＳ１３において演算した経過時間Ｓが、所定時間Ｓｂよりも大きいと判定した場合、つまりステップＳ１３において演算した経過時間Ｓが、所定時間Ｓｂより大きく所定時間Ｓａ以下である場合には、ステップＳ１８へ移行する。
一方、マイコン制御装置４０は、ステップＳ１３において演算した経過時間Ｓが、所定時間Ｓｂよりも大きくないと判定した場合、つまりステップＳ１３において演算した経過時間Ｓが、所定時間Ｓｂ以下である場合には、ステップＳ１６へ移行する。
【００４８】
ステップＳ１４から移行したステップＳ１７において、マイコン制御装置４０は、合数判定によって得られた合数が、昇温工程の次の工程である炊き上げ工程におけるワークコイル６４の加熱量を設定する区分（ランク）にて、後述するＣランクであると判定する。
【００４９】
ステップＳ１５から移行したステップＳ１８において、マイコン制御装置４０は、合数判定によって得られた合数が、昇温工程の次の工程である炊き上げ工程におけるワークコイル６４の加熱量を設定する区分（ランク）にて、後述するＢランクであると判定する。
【００５０】
ステップＳ１５から移行したステップＳ１６において、マイコン制御装置４０は、合数判定によって得られた合数が、昇温工程の次の工程である炊き上げ工程におけるワークコイル６４の加熱量を設定する区分（ランク）にて、後述するＡランクであると判定する。
【００５１】
以上のように、合数判定工程では、合数が判定されるとともに、判定された合数が３つランク（即ち、Ａランク、Ｂランク、Ｃランク）のどのランクに属するか区分（判定）されることによって、炊き上げ工程におけるワークコイル６４の加熱量が設定される。例えば、図５に示すように、内鍋１０の内部に収容された長粒米及び炊飯水の初期温度（水温）が、２３℃であって、経過時間Ｓが５００秒であれば、判定された合数（図５における点Ｘが示す位置）は、ワークコイル６４の加熱量を設定する区分（ランク）にて、Ｃランクであると判定される。
【００５２】
なお、本実施形態において合数判定工程では、内鍋１０を加熱して得られる各種の検出結果のうち、前記内鍋１０が加熱されてから所定温度Ｔに到達するまでの経過時間Ｓに基づいて合数が判定されるものである。しかしながら、合数判定工程では、内鍋１０を加熱して得られる各種の検出結果のうち、例えば所定時間内の上昇温度や温度の変化率等に基づいて合数が判定されてもよい。なお、かかる場合には、前記上昇温度や前記温度の変化率等を、予め設定した上昇温度や温度の変化率等の閾値と比較することによって、複数に区分されたランクのどのランクに属するのか判定することとなる。
【００５３】
次に、長粒米の炊飯工程は、図３及び図４に示すように、昇温工程（ステップＳ１）を経た後に、炊き上げ工程（ステップＳ２）へ移行される。
【００５４】
炊き上げ工程においては、昇温工程から引き続いてマイコン制御装置４０によってワークコイル６４が駆動され、内鍋１０が加熱される。
なお、内鍋１０の内部に収容された長粒米及び炊飯水が沸騰すると、炊き上げ工程は蒸らし工程（ステップＳ３）へ移行する。
また、図４に示すように、炊き上げ工程において、保温ヒータ６５及び蓋ヒータ３５は、駆動されない（加熱しない）。
【００５５】
なお、炊き上げ工程において、ワークコイル６４は、マイコン制御装置４０によって所定出力で駆動され、内鍋１０を加熱する加熱量が、適宜の加熱量となるように設定される。
ここで、前記所定出力、換言すれば内鍋１０を加熱するワークコイル６４の加熱量とは、上述の如く昇温工程の合数判定工程において判定された３つのランク（Ａランク、Ｂランク、Ｃランク）に応じて、以下のように設定されるものである。
【００５６】
図４に示すように、合数判定工程において判定されたランクがＣランクである場合、ワークコイル６４は、１００％の出力で駆動され、内鍋１０を加熱するワークコイル６４の加熱量が、最大となるように設定される。換言すれば、３つのランクのうちＣランクは、最大ランクとなるように設定される。
また、合数判定工程において判定されたランクがＢランクである場合、ワークコイル６４は、９０％の出力で駆動され、内鍋１０を加熱するワークコイル６４の加熱量が、Ｃランクより若干小さくなるように設定される。
また、合数判定工程において判定されたランクがＡランクである場合、ワークコイル６４は、８０％の出力で駆動され、内鍋１０を加熱するワークコイル６４の加熱量が、Ｂランクより若干小さくなるように設定される。
なお、前記「１００％の出力」、前記「９０％の出力」、及び前記「８０％の出力」とは、ワークコイル６４の出力の一実施形態であり、これに限定するものではない。即ち、ワークコイル６４は、その加熱量が、Ｃランクにおいて通常の加熱量よりも大きくなるような出力で駆動され、ＢランクにおいてＣランクの加熱量より小さくなるような出力で駆動され、ＡランクにおいてＢランクの加熱量より小さくなるような出力で駆動されればよい。
【００５７】
ここで、一般的に、長粒米は、炊飯水の温度が（短粒米が炊飯水を吸収するのに適する温度である）６０℃以下では、吸水性が小さいという特性を有する。さらに、長粒米は、炊飯水の温度が８０℃以上では一気に吸水して膨張するという（吸水性が大きくなる）特性を有する。したがって、長粒米に炊飯水を吸収させるために、時間をかけて長粒米を炊飯水に浸漬してその後に徐々に炊飯水の温度を上げていくと、炊飯水が沸騰する頃にはその炊飯水の殆どが長粒米に吸水されることとなる。つまり、内鍋１０の内部に収容された長粒米及び炊飯水の沸騰を維持することができる時間が短くなるので、炊き上がった長粒米（ご飯）に芯が残るという問題点がある。
【００５８】
しかしながら、本発明に係る炊飯器１の長粒米の炊飯工程（より詳細には、昇温工程及び炊き上げ工程）においては、炊飯水への長粒米の浸漬に時間をかけず、ワークコイル６４を概ね高い出力で駆動させて、（徐々に炊飯水の温度を上げるのではなく）一気に（短粒米の場合よりも短時間で）炊飯水の温度を上げることができる。
また、長粒米の炊き上げ時に、ワークコイル６４の加熱量が、内鍋１０に収容された長粒米の合数に応じて３つのランクに区分されて、それぞれのランクに応じて適宜な加熱量となるように設定される。なお、ここで適宜な加熱量とは、長粒米の吸水性が小さいという特性に対応して長粒米が美味しく炊き上がるとともに、ふきこぼれ等の炊飯時の問題が生じない程度の加熱量を指すものである。
【００５９】
次に、長粒米の炊飯工程は、図３及び図４に示すように、炊き上げ工程（ステップＳ２）を経た後に、蒸らし工程（ステップＳ３）へ移行される。
【００６０】
蒸らし工程においては、炊き上げ工程から引き続いてマイコン制御装置４０によってワークコイル６４が駆動されて内鍋１０が加熱されるが、ワークコイル６４の出力は炊き上げ工程時の出力よりも下げられる（本実施形態では、３つのランクともに、７０％の出力）。また、マイコン制御装置４０によって保温ヒータ６５及び蓋ヒータ３５が、所定出力にて駆動される。これによって、内鍋１０は、所定の蒸らし温度を維持するように加熱される。なお、一定時間が経過すると長粒米（ご飯）が炊き上がり、蒸らし工程は終了し、ひいては長粒米の炊飯工程が完了することとなる。
なお、炊飯工程を経た後には、炊き上がった長粒米（ご飯）の冷却工程、保温工程等へ移行される。
【００６１】
以上のように、本発明に係る炊飯器１において、ワークコイル６４の加熱量は、合数判定工程において判定された合数によって区分されたランクに応じて設定されるものである。つまり、炊飯器１は、長粒米が現実に炊き上げられている過程において初めて判断可能となる条件を考慮することによって、長粒米に対する最適な炊飯工程、即ち炊き上げ工程における最適な加熱量を選択し、長粒米をより美味しく炊き上げることができるのである。
【００６２】
また、炊飯器１は、被調理物として液体（スープ）の調理が可能な構成とすることができる。かかる構成においては、合数判定工程において判定されたランクがＣランクである場合、マイコン制御装置４０によって、内鍋１０の内部に収容された被調理物が液体であると判定される。そして、内鍋１０の内部に収容された液体は、炊き上げ工程において、ワークコイル６４が１００％の出力で駆動され、ワークコイル６４の加熱量が最大となるように設定される。つまり、液体の調理では、一般的な短粒米の炊飯工程に設けられる吸水工程（吸水のために一定温度を維持する工程）等の工程は、無駄な電力消費となるため必要がないところ、液体を湯沸しする時間が短時間となり、無駄な電力の消費を抑えることができる（省エネ化を図ることができる）。
【００６３】
なお、炊飯器１は、本発明に係る「電気炊飯器」の一実施形態である。また、内鍋１０は、本発明に係る「内鍋」の一実施形態である。また、ワークコイル６４、保温ヒータ６５、蓋ヒータ３５は、本発明に係る「内鍋加熱手段」の一実施形態である。また、マイコン制御装置４０は、本発明に係る「制御手段」の一実施形態である。また、センタセンサ６６は、本発明に係る「内鍋温度検出手段」の一実施形態であり、例えば蒸気センサーや蓋温度センサー等を用いてもよい。
【００６４】
また、上述の如き炊飯工程は、本発明に係る「炊飯工程」の一実施形態であり、上述の如き構成に限定するものではない。また、上述の如き昇温工程及び炊き上げ工程は、本発明に係る「昇温工程」及び「炊き上げ工程」の一実施形態であり、上述の如き構成に限定するものではない。また、上述の如き合数判定工程は、本発明に係る「合数判定工程」の一実施形態であり、上述の如き構成に限定するものではない。
また、Ａランク、Ｂランク、Ｃランクは、本発明に係る「複数のランク」の一実施形態であり、上述の如き構成に限定するものではない。例えば、本発明に係る「複数のランク」は、３つのランクに区分するものではなく、４つや５つのランクに区分する構成であってもよい。かかる場合には、炊き上げ工程におけるワークコイル６４の加熱量をより細かく設定することができる。
【００６５】
また、上述の説明では、長粒米の炊飯に適した炊飯工程を実行する場合に、ユーザーが操作パネル部５３の各種のスイッチ５５のうち、米種別選択スイッチ５６にて長粒米を選択する構成としたが、かかる構成に限定するものではない。即ち、炊飯器１は、マイコン制御装置４０によって自動的に内鍋１０の内部に収容された被炊飯物が短粒米であるか、又は長粒米であるかを判定する機能（以下では、「米種別判定機能」と称する。）を有して、自動的に被炊飯物の炊飯に適した炊飯工程を実行する構成とすることができる。
【００６６】
次に、上述の如き米種別判定機能の構成について説明する。
【００６７】
米種別判定機能は、長粒米と短粒米との特性の違いから、内鍋１０の内部に収容された被炊飯物が短粒米であるか、又は長粒米であるかを判定するものである。
【００６８】
ここで、長粒米は短粒米よりも吸水性が小さいという特性を有する。図７（ａ）は、長粒米と短粒米との吸水性の違いを示した表（試験結果）である。この試験では、短粒米（日本国産）１５０ｇと、長粒米（外国産米）１５０ｇとを、それぞれ２３℃の水２６５ｇに浸漬して、２時間後の水量（即ち、米に吸収されなかった水量）を測定している。そして、試験結果では、２時間後に短粒米側では１４８ｇの水量が残存する一方、長粒米側では１５５ｇの水量が残存する。つまり、この試験結果を鑑みると、長粒米が短粒米よりも吸水性が小さいことが分かる。
【００６９】
内鍋１０の内部に収容された短粒米を炊飯水に一定時間だけ浸漬した場合、短粒米は吸水性が大きいため、炊飯水を吸収して体積が大きく増加する。したがって、図７（ｂ）に示すように、内鍋１０の内部の底部分で、短粒米は略隙間なく密集し易くなる。つまり、ワークコイル６４によって加熱された熱が、略隙間なく密集した短粒米を介してセンタセンサ６６に伝達され易くなる。
一方、内鍋１０の内部に収容された長粒米を炊飯水に一定時間だけ浸漬した場合、長粒米は吸水性が小さいため、炊飯水を殆ど吸収せず体積が増加しない。したがって、図７（ｂ）に示すように、内鍋１０の内部の底部分であっても、長粒米は略隙間なく密集することはない（粒と粒との間に隙間が形成される）。つまり、ワークコイル６４によって加熱された熱は、（短粒米の場合とは異なり）長粒米だけではなく粒と粒との間の隙間の炊飯水を介してセンタセンサ６６に伝達される。よって、ワークコイル６４によって加熱された熱は、短粒米の場合よりも長粒米の場合の方がセンタセンサ６６に伝達され難く、所定温度に到達する時間は長くなる。
【００７０】
また、上述の如く長粒米は短粒米よりも吸水性が小さいという特性ため、炊飯器１では長粒米の炊飯水の水量が、短粒米の炊飯水の水量よりも多くなるように設定される。例えば、米１０合を炊飯する場合に、長粒米の炊飯水は２０００ｇに設定され、短粒米の炊飯水は１８００ｇに設定される。したがって、短粒米よりも長粒米を炊飯する場合の方が、内鍋１０の内部に収容された炊飯水の水量が多くなり、加熱するために要する時間が長くなる。
【００７１】
また、長粒米は短粒米よりも粒が細長くて、粒間の体積が大きいという特性を有している。そのため、図８に示すように、長粒米を計量カップで計量した場合に、１合あたりの質量が短粒米の場合よりも小さくなる。つまり、体積重量で測定した米で炊飯水の水量の設定を行う場合には、長粒米の方が短粒米よりも水量が多くなるので、水重量が大きくなる。したがって、短粒米よりも長粒米を炊飯する場合の方が、所定温度に到達する時間は長くなる。
【００７２】
このように、内鍋１０の温度を検出するセンタセンサ６６により検知される温度の上昇時間は、短粒米よりも長粒米を炊飯する場合の方が長くなる。つまり、図７（ｃ）に示すように、内鍋１０に収容された被炊飯物が長粒米の場合には、被炊飯物が短粒米の場合よりも、センタセンサ６６によって検出される温度の上がり方が遅くなる。したがって、マイコン制御装置４０は、炊飯工程において内鍋１０を加熱する場合に、センタセンサ６６によって検出される温度の上がり方（上昇温度傾向）を検出することによって、内鍋１０の内部に収容された被炊飯物が短粒米であるか、又は長粒米であるかを判定するものである。
【００７３】
なお、図７（ｃ）に示すように、一般的な短粒米の炊飯工程においては、短粒米に炊飯水を浸漬させるための吸水工程が設けられる。なお、図７（ｃ）で示す短粒米の炊飯工程においては、炊飯水の温度（水温）がＴａとなった場合に、吸水工程へ移行する。そして、吸水工程は、温度Ｔａを維持したまま一定時間の間に継続される。しかしながら、長粒米の炊飯工程においては、上述の如く吸水工程が設けられておらず、一気に炊き上げたほうがより美味しいご飯を炊くことができ、消費電力も少なくて済む。この違いを踏まえて、米種別判定機能においては、炊飯水の温度Ｔａに到達するまでの（一般的な短粒米の炊飯工程において吸水工程へ移行するまでの）温度の上がり方によって、内鍋１０の内部に収容された被炊飯物が短粒米であるか、又は長粒米であるかを判定するようにしている。
【００７４】
このような構成によって、ユーザーの操作に拠らず、マイコン制御装置４０によって自動的に被炊飯物が短粒米であるか、又は長粒米であるかを判定することができる。したがって、ユーザーの操作を簡略化することができる。また、従来、例えば被炊飯物としてブレンド米（短粒米と長粒米とを混合させた米）を炊飯する場合には、そのブレンドされた混合率によって選択すべき炊飯工程が変更されるので、ユーザーの炊飯工程の選択操作が煩雑なものとなっていた。しかしながら、上述の如く米種別判定機能は、長粒米と短粒米との特性の違いから、被炊飯物が短粒米であるか、又は長粒米であるかを判定するものである。つまり、マイコン制御装置４０によって選択（判定）された炊飯工程が、内鍋１０の内部に収容された被炊飯物の最適な炊飯工程となるので、ユーザーの選択操作の煩雑さを解消するとともに、常に（最適な炊飯工程の選択を誤らずに）美味しいご飯を炊き上げることができる。
【００７５】
また、炊飯器１は、被調理物として液体（スープ）の調理が可能な構成であるので、マイコン制御装置４０によって自動的に内鍋１０の内部に収容された被調理物が液体であるか、又は米（長粒米又は短粒米）であるかを判定する機能（以下では、「被調理物判定機能」と称する。）を有して、自動的に液体の調理に適した調理工程を実行する構成とすることができる。
【００７６】
被調理物判定機能は、液体と米（長粒米又は短粒米）との温度上昇の特性の違いから、内鍋１０の内部に収容された被調理物が、液体であるか、又は米であるかを判定するものである。
より詳細には、内鍋１０の内部に収容された被調理物が液体である場合には、被調理物が米である場合よりも、内鍋１０の温度を検出するセンタセンサ６６により検知される温度上昇の時間が長くなる。つまり、内鍋１０の内部に収容された被調理物が液体である場合には、被調理物が米である場合よりも、センタセンサ６６によって検出される温度の上がり方が遅くなる。つまり、マイコン制御装置４０は、調理工程において内鍋１０を加熱する場合に、センタセンサ６６によって検出される温度の上がり方を検出することによって、内鍋１０の内部に収容された被調理物が液体であるか、又は米（長粒米又は短粒米）であるかを判定するものである。
【００７７】
このような構成によって、ユーザーの操作に拠らず、マイコン制御装置４０によって自動的に被調理物が液体であるか、又は米（長粒米又は短粒米）であるかを判定することができる。したがって、ユーザーの操作を簡略化することができる。また、従来、例えば被調理物としてお粥（液体の比率が比較的高い被調理物）を調理する場合には、その液体と米との混合率によって選択すべき炊飯工程が変更されるので、ユーザーの炊飯工程の選択操作が煩雑なものとなっていた。しかしながら、上述の如く被調理物判定機能は、液体と米（長粒米と短粒米）との特性の違いから、被調理物が液体であるか、又は米であるかを判定するものである。つまり、マイコン制御装置４０によって選択（判定）された炊飯工程が、内鍋１０の内部に収容された被調理物の最適な調理工程となるので、ユーザーの選択操作の煩雑さを解消するとともに、常に（最適な調理工程の選択を誤らずに）液体を美味しく調理することができる。
【００７８】
以上のように、本発明に係る炊飯器１は、
長粒米を内部に収容する内鍋１０と、
前記内鍋１０を加熱するワークコイル６４（内鍋加熱手段）と、
前記ワークコイル６４（内鍋加熱手段）の加熱量を制御するマイコン制御装置４０（制御手段）と、
前記内鍋１０や長粒米の温度を検出するセンタセンサ６６（内鍋温度検出手段）と、
を具備して、
少なくとも昇温工程と炊き上げ工程とを有する炊飯工程を前記マイコン制御装置４０（制御手段）により実行可能な電気炊飯器であって、
前記昇温工程は、被調理物の合数を判定する合数判定工程を含み、
前記合数判定工程において判定された合数を、前記炊き上げ工程における前記ワークコイル６４（内鍋加熱手段）加熱量を設定するためのＡランク、Ｂランク、Ｃランク（複数のランク）に区分して、
前記合数判定工程において判定された合数が、前記複数のランクのうち最大のランクであるＣランクに区分されると、前記炊き上げ工程において長粒米が沸騰するまでの前記ワークコイル６４（内鍋加熱手段）の加熱量を、通常の加熱量よりも増加させるものである。
【００７９】
また、炊飯器１は、
被調理物として液体の調理が可能であって、
前記マイコン制御装置４０（制御手段）は、前記合数判定工程において判定された合数が、前記最大のランクであるＣランクに区分されると、被調理物が液体であると判定し、前記炊き上げ工程において液体が沸騰するまでの前記ワークコイル６４（内鍋加熱手段）の加熱量を最大とするものである。
【００８０】
このような構成によって、炊飯器１は、長粒米が現実に調理されている過程において初めて判断可能となる合数判定を考慮することによって、炊き上げ工程におけるワークコイル６４の最適な加熱量を選択することができる。
【符号の説明】
【００８１】
１は炊飯器、１０は内鍋、４０はマイコン制御装置、６４はワークコイル、６６はセンタセンサ、Ｓは経過時間、Ｓａ・Ｓｂは所定時間、Ｔは所定温度、である。
【図１】
2012231915.tif 000003
【図２】
2012231915.tif 000004
【図３】
2012231915.tif 000005
【図４】
2012231915.tif 000006
【図５】
2012231915.tif 000007
【図６】
2012231915.tif 000008
【図７】
2012231915.tif 000009
【図８】
2012231915.tif 000010